(57)【特許請求の範囲】
【請求項１】
植物を栽培する栽培用収容体であって、収容本体の長手方向に所定の並設間隔で指標を並設する指標表示部を、この収容本体の長手方向にしてこの収容本体の上部内面に設けた構成とし、この指標表示部の各指標間の並設間隔は、所定の指標対象植物の最適な植え付け間隔に設定し、前記指標表示部の指標は、少なくとも前記所定の指標対象植物を表す絵柄若しくは文字を有する構成とし、前記収容本体は、前記指標間の所定の並設間隔が互いに異なる複数種類の指標表示部を設けた構成としたことを特徴とする栽培用収容体。
【請求項２】
前記指標表示部の指標は、少なくとも前記所定の指標対象植物を表す絵柄を有する構成としたことを特徴とする請求項１記載の栽培用収容体。
【請求項３】
前記指標表示部の指標は、隣り合う他の指標から所定の並設間隔となる位置を指示する指標線を有する構成としたことを特徴とする請求項１，２のいずれか１項に記載の栽培用収容体。
【請求項４】
前記収容本体は、前記指標間の所定の並設間隔が互いに異なる複数種類の指標表示部を近接位置に設けた構成としたことを特徴とする請求項１〜３のいずれか１項に記載の栽培用収容体。
【請求項５】
前記収容本体の長手方向に目盛りを並設して、この収容本体の長手方向距離を測長し得るスケール表示部を、この収容本体の前記指標表示部に並設状態に設けた構成としたことを特徴とする請求項１〜４のいずれか１項に記載の栽培用収容体。
【発明の詳細な説明】
【技術分野】
【０００１】
本発明は、植物を栽培する栽培用収容体に関するものであって、特にこの栽培用収容体の長手方向に所定の間隔をおいて並設状態に植物を栽培する場合に用いる栽培用収容体に関するものである。
【背景技術】
【０００２】
従来、トマトやナスなどの種々の植物をプランターで栽培する場合、例えばこのプランターの長手方向に、ある程度の間隔をおいて並設状態にこの植物の株や苗を植え付ける（植物を一箇所に過密に植え付けると、互いに生育を阻害し合って良好に育たない為。）。
【０００３】
このように、プランターの長手方向に間隔をおいて並設状態に植物を植える場合、この植物の種類に応じて最適な植え付け間隔が決まっており、この最適な植え付け間隔でこの植物を植え付けることで、過密状態を確実に阻止し、プランターのように限られたスペースでも良好にこの植物を栽培できる。
【０００４】
従って、プランターに植物を植える場合には、先ずその植物の最適な植え付け間隔を調べ、その後、例えば物差しや定規でその最適な植え付け間隔となる位置を一箇所ずつ測長しながら順次その最適な植え付け間隔となる位置に植物の株や苗を植えたりこの植物を支える支柱を立設したりしてこの植物の植え付けを行うという作業が実施されていた。
【０００５】
よって、例えば、植物の最適な植え付け間隔を調べたり、物差しや定規などのプランター以外の別の道具で測長したりする必要がなく、簡単にその植物の最適な植え付け間隔で植え付けできるプランターは、従来においては無かった。
【発明の開示】
【発明が解決しようとする課題】
【０００６】
本発明は、従来には無い画期的な栽培用収容体であって、収容本体の長手方向に所定の並設間隔で指標を並設する指標表示部を、この収容本体の長手方向にしてこの収容本体の上部内面に設けた構成とし、更に、この指標表示部の各指標間の並設間隔は、例えばトマト若しくはナスなど、所定の指標対象植物の最適な植え付け間隔に設定したから、例えばトマトを植えたければこのトマトを所定の指標対象植物としている指標表示部を設けた収容本体を用いれば、このトマトの最適な植え付け間隔を調べる必要が無く、しかも収容本体とは別パーツの物差しや定規などの道具で一々植え付け間隔を測長する作業も一切不要で、単に指標表示部の各指標に対応する位置に順次植え付けを行うだけの簡単な作業でこのトマトを最適な植え付け間隔で植え付けできるなど、これまでになく極めて作業能率良く簡単にして良好に植物の植え付けが行える極めて画期的で実用性に秀れた栽培用収容体を提供することを課題とする。
【課題を解決するための手段】
【０００７】
添付図面を参照して本発明の要旨を説明する。
【０００８】
植物ａを栽培する栽培用収容体であって、収容本体１の長手方向に所定の並設間隔Ｌで指標２を並設する指標表示部３を、この収容本体１の長手方向にしてこの収容本体１の上部内面に設けた構成とし、この指標表示部３の各指標２間の並設間隔Ｌは、所定の指標対象植物ａ’の最適な植え付け間隔Ｌ’に設定し、前記指標表示部３の指標２は、少なくとも前記所定の指標対象植物ａ’を表す絵柄２ａ若しくは文字２ｂを有する構成とし、前記収容本体１は、前記指標２間の所定の並設間隔Ｌが互いに異なる複数種類の指標表示部３を設けた構成としたことを特徴とする栽培用収容体に係るものである。
【０００９】
また、前記指標表示部３の指標２は、少なくとも前記所定の指標対象植物ａ’を表す絵柄２ａを有する構成としたことを特徴とする請求項１記載の栽培用収容体に係るものである。
【００１０】
また、前記指標表示部３の指標２は、隣り合う他の指標２から所定の並設間隔Ｌとなる位置を指示する指標線２ｃを有する構成としたことを特徴とする請求項１，２のいずれか１項に記載の栽培用収容体に係るものである。
【００１１】
また、前記収容本体１は、前記指標２間の所定の並設間隔Ｌが互いに異なる複数種類の指標表示部３を近接位置に設けた構成としたことを特徴とする請求項１〜３のいずれか１項に記載の栽培用収容体に係るものである。
【００１２】
また、前記収容本体１の長手方向に目盛り４ａを並設して、この収容本体１の長手方向距離を測長し得るスケール表示部４を、この収容本体１の前記指標表示部３に並設状態に設けた構成としたことを特徴とする請求項１〜４のいずれか１項に記載の栽培用収容体に係るものである。
【発明の効果】
【００１３】
本発明は上述のように構成したから、収容本体に設けた指標表示部の各指標により、この収容本体に、指標対象植物の最適な植え付け間隔が表示されることになる。
【００１４】
しかも、この指標表示部は、この収容本体の上部内面に設けているので、たとえこの収容本体に土を収容した際にもこの指標表示部がこの土に埋もれて見えなくなってしまうことが無く、植え付け作業時に作業者がこの指標表示部の各指標を確実に視認できる。
【００１５】
また、複数種類の指標表示部によって、一種類の植物だけでなく様々な種類の植物の最適な植え付け間隔を収容本体に表示しているので、様々な種類の植物に対応できる。
【００１６】
よって、本発明は、例えば前記指標対象植物と同種の植物をこの収容本体に植え付ける場合に、この収容本体に設けた指標表示部の各指標と対応する位置にこの植物を順次植え付けていくだけの極めて簡単な作業で、確実にこの植物を最適な植え付け間隔で植え付けでき、よって、従来のように例えばこの植物の最適な植え付け間隔を調べたり、その植え付け間隔を収容本体とは別パーツの物差しや定規などによって一々測長しながら順次植え付け作業を行うといった面倒な作業が不要で、それだけ作業能率良く、しかも簡単に最適な植え付け間隔で植物を植え付けて良好に栽培が行えて、更に、例えばトマトを指標対象植物とする（即ち、トマトの最適な植え付け間隔で指標を並設する）指標表示部や、例えばナスを指標対象植物とする指標表示部など、複数種類の指標表示部を収容本体に設けることで様々な植物に対応できる一層便利な構成とすることも簡易に設計実現可能な極めて実用性に秀れた画期的で商品価値の高い栽培用収容体となる。
【００１７】
また、請求項２記載の発明においては、作業者が収容本体に設けた指標表示部を視認した際に、この指標表示部の指標対象植物が何であるか、つまりこの指標表示部の各指標の並設間隔が何の植物の最適な植え付け間隔に設定されているのかが、指標対象植物を表す絵柄を一見して直感的に指標対象植物が何であるかを理解できるから、非常に見易いだけでなく、間違って所定の指標対象植物と別種の植物を植え付けることを防ぐこともでき、一層実用性に秀れた栽培用収容体となる。
【００１８】
また、請求項３記載の発明においては、指標表示部の指標の指標線によればこの指標が指示する最適な植え付け位置を曖昧にではなく的確に指示できるから、一層的確に最適な植え付け間隔で植物を植え付けることができる一層実用性に秀れた栽培用収容体となる。
【００１９】
また、請求項５記載の発明においては、例えば収容本体で指標対象植物と同種の植物を栽培したい場合には、指標表示部の各指標と対応する位置に植物を植え付けることで作業能率良く簡単に植物を最適な植え付け間隔に植え付けできるし、一方、例えば収容本体で前記指標対象植物とは別種の植物を栽培したい場合においても、この収容本体に設けたスケール表示部の目盛りを見ながら作業者の所望の並設間隔でこの植物の植え付けが行えて、従来のように一々収容本体とは別パーツの物差しや定規を当てがって測長する必要がなく従来品に比して作業能率良く植物の植え付けが行え、よって、指標対象植物と同種の植物だけでなく別種の植物を植える場合にも作業性に秀れ一層実用性に秀れた栽培用収容体となる。
【発明を実施するための最良の形態】
【００２０】
好適と考える本発明の実施形態（発明をどのように実施するか）を、図面に基づいて本発明の作用を示して簡単に説明する。
【００２１】
本発明では、収容本体１の上部内面に、この収容本体１の長手方向に所定の並設間隔Ｌで指標２を並設する指標表示部３を設けている。
【００２２】
この指標表示部３の各指標２間の並設間隔Ｌは、所定の指標対象植物ａ’の最適な植え付け間隔Ｌ’に設定している。
【００２３】
即ち、本発明の収容本体１は、指標表示部３の各指標２によって、所定の指標対象植物ａ’の最適な植え付け間隔Ｌ’をこの収容本体１自体に表示している構成である。
【００２４】
しかも、この収容本体１に土を収容した場合でも、この収容本体１の上部内面に設けた指標表示部３は、土に埋もれることなく確実に作業者によって視認できるから、この収容本体１に土を収容して植え付け作業を行う際にこの指標表示部３を確実に視認しながら作業が行える。
【００２５】
従って、植物ａを収容本体１に植え付ける際、この植物ａとして前記指標対象植物ａ’を採用した場合、この植物ａの最適な植え付け間隔Ｌ’を一々調べる必要が無く、しかも、収容本体１と別パーツの例えば物差しや定規などで最適な植え付け間隔Ｌ’を一々測長しながら順次植え付け作業を行う必要も無く、例えば、収容本体１の指標表示部３の各指標２と対応する位置に順次この植物ａを植え付けるだけの極めて簡単な作業で、確実にこの植物ａを最適な植え付け間隔Ｌ’で植え付けできるから、これまでに無く極めて作業能率良く、しかも簡単に植物を最適な植え付け間隔で植え付けて良好に栽培できる極めて実用性に秀れた画期的な栽培用収容体となる。
【００２６】
よって、例えばトマトを栽培したい場合には、所定の指標対象植物ａ’としてトマトを採用した指標表示部３（即ち、トマトの最適な植え付け間隔Ｌ’で各指標２を並設する指標表示部３）が設けられた収容本体１を用いれば、極めて作業能率良く、しかも簡単にこのトマトの最適な植え付け間隔で植え付けて良好に栽培できる。尚、この収容本体１には、トマトの最適な植え付け間隔Ｌ’で各指標２を並設する指標表示部３を設けるだけでなく、例えばナスの最適な植え付け間隔Ｌ’で各指標２を並設する指標表示部３も設けるなど、各指標２間の所定の並設間隔Ｌが互いに異なる複数種類の指標表示部３を設けた構成としているので、例えばトマトを栽培したい人にもナスを栽培したい人にも有用となるなど、一層実用性に秀れた栽培用収容体も簡易に設計実現可能である。
【００２７】
また、この収容本体１の指標表示部３の指標２は、例えば、少なくとも前記所定の指標対象植物ａ’を表す絵柄２ａ若しくは文字２ｂを有する構成としているので、作業者がこの収容本体１の指標表示部３を視認した際に、この指標表示部３の各指標２の並設間隔Ｌが、何の植物ａの最適な植え付け間隔Ｌ’に設定されているか（指標対象植物ａ’が何の植物ａであるか）が直ちに分かるので、一層使い易く実用的となる。特に、この指標表示部３の指標２は、少なくとも前記所定の指標対象植物ａ’を表す絵柄２ａを有する構成とすれば、この指標２の絵柄２ａを視認した作業者が直感的にこの前記指標対象植物ａ’が何であるかを直ちに理解でき、非常に見易くて使い勝手が良い。
【００２８】
しかも、収容本体１に複数種類の指標表示部３を設けていた場合には、それだけ作業者が間違って指標表示部３の指標対象植物ａ’と別種の植物ａを、この指標対象植物ａ’の最適な植え付け間隔Ｌ’で植え付けてしまう懸念があったところを、本発明のように指標表示部３の各指標２が指標対象植物ａ’を表す絵柄２ａや文字２ｂを有する構成であれば、作業者が各指標２を視認して指標対象植物ａ’が何であるかが直ちに分かるのでこの用な懸念が生じ得ず、この点、一層便利で実用に秀れることとなる。
【００２９】
また、例えば、この指標表示部３の指標２は、隣り合う他の指標２から所定の並設間隔Ｌとなる位置を指示する指標線２ｃを有している構成であれば、指標２が指し示す最適な植え付け位置をこの指標線２ｃで正確に指示できるから、一層確実に最適な植え付け間隔Ｌ’での植え付けを可能とする。
【００３０】
また、例えば、前記収容本体１の長手方向に目盛り４ａを並設して、この収容本体１の長手方向距離を測長し得るスケール表示部４をこの収容本体１の前記指標表示部３に並設状態に設けた構成とした場合には、例えばこの収容本体１に前記所定の指標対象植物ａ’と同種の植物ａを植え付ける場合には、前記指標表示部３の各指標２に対応する位置にこの植物ａを順次植え付けるだけで最適な植え付け間隔Ｌ’で、しかもこれまでに無く作業能率良く良好に植え付け作業が行えるし、一方、この収容本体１に前記所定の指標対象植物ａ’と別種の植物ａを植え付ける場合にも、この収容本体１自体に設けた前記スケール表示部４の目盛り４ａを視認しながら、作業者の所望の並設間隔Ｌでこの植物ａの植え付け作業が行えるから、例えば一々この収容本体１と別パーツの物差しや定規などを収容本体１に当てがって測長する作業が不要で、従来品に比して作業能率良く植え付け作業が進展できるなど、一層実用性に秀れた栽培用収容体となる。
【実施例】
【００３１】
本発明の具体的な実施例について図面に基づいて説明する。
【００３２】
本実施例は、植物ａを栽培する栽培用収容体であって、収容本体１の長手方向に所定の並設間隔Ｌで指標２を並設する指標表示部３を、この収容本体１の長手方向にしてこの収容本体１の上部内面に設けた構成とし、この指標表示部３の各指標２間の並設間隔Ｌは、所定の指標対象植物ａ’の最適な植え付け間隔Ｌ’に設定したものである。
【００３３】
収容本体１は、樹脂成形品で、具体的には、図１に図示したように、上部開口縁が略矩形状を呈する箱形に形成し、この上部開口縁の全周に外方へ突出状態に鍔状のフランジ部５を一体成形したものである。
【００３４】
この収容本体１に設ける指標表示部３は、この収容本体１の長手方向にして、且つこの収容本体１に土を収容した際にも作業者が確実に視認できるようにこの収容本体１の上部内面に設け、図１に図示したように、この収容本体１の上部内面に、且つこの収容本体１に土を収容した際にこの土に埋もれない高さ位置に指標表示部３を設けている。
【００３５】
従って、この指標表示部３は、収容本体１に土を収容してこの収容本体１を作業者が上方から視認した際にも確実に視認できる非常に見易い位置となる。
【００３６】
また、この指標表示部３の各指標２の並設間隔Ｌは、所定の指標対象植物ａ’の最適な植え付け間隔Ｌ’に設定しているが、この所定の指標対象植物ａ’はどのような植物でも良いが、家庭用の園芸で栽培されるもの（例えばトマトやナスなど）を採用するのが好ましい。
【００３７】
この最適な植え付け間隔Ｌ’は、ある種類の植物ａ（指標対象植物ａ’）を収容本体１の長手方向に並設状態に植える場合に、隣合う植物ａ同志が互いの生育を阻害しない（過密とならない）程度の離間距離を有した、できるだけ短い距離に設定している。
【００３８】
また、本実施例では、前記指標２間の所定の並設間隔Ｌが互いに異なる複数種類の指標表示部３を設けた構成としている。具体的には、図１に図示したように、指標対象植物ａ’としてトマトを採用してこのトマトの最適な植え付け間隔Ｌ’で指標２を並設する指標表示部３と、指標対象植物ａ’としてナスを採用してこのナスの適切な植え付け間隔Ｌ’で指標２を並設する指標表示部３と、指標対象植物ａ’としてピーマンを採用してこのピーマンの適切な植え付け間隔Ｌ’で指標２を並設する指標表示部３の三種類の指標表示部３を収容本体１に設けた構成としている。
【００３９】
従って、このトマトやナス、ピーマンのいずれかの植物ａをこの収容本体１で栽培したい場合には、これと対応する指標表示部３の指標２が指示する位置に順次この植物ａを植え付けるだけの簡単な作業で、作業能率良くこの植物ａを最適な植え付け間隔Ｌ’で良好に植え付けて栽培できる。
【００４０】
この複数種類（本実施例においては三種類）の指標表示部３は夫々、収容本体１の別々の位置にバラバラに設けても良い（例えば一つは収容本体１の上部内面に設け、一つは収容本体１の上部外面に設けるなど。）が、本実施例においては、この複数種類の指標表示部３を近接状態に設けている。具体的には、図１に図示したように、この複数種類の指標表示部３をこの収容本体１の長手方向にしてこの収容本体１の上部内面の同じライン上に設けている。従って、この各指標表示部３の各指標２が同じライン上に並設する構成である。
【００４１】
よって、この収容本体１の上部内面を視認すれば全ての指標表示部３が一度に視認できるだけでなく、複数種類の指標表示部３が同じライン上に集まって設けられているから、生産性にも秀れる。即ち、例えばこの指標表示部３を収容本体１に印刷して設ける場合に、たった一ラインを印刷するだけでこの複数の指標表示部３を設けられるし、この指標表示部３をシール状に形成して収容本体１に貼設する構成とした場合にも、一枚のシールで済む。
【００４２】
また、この指標表示部３の各指標２は、図３に図示したように、前記指標対象植物ａ’を表す絵柄２ａと文字２ｂを有し、且つこの指標表示部３の隣り合う他の指標２から所定の並設間隔Ｌとなる位置を指示する指標線２ｃを有する構成としている。またこの指標２の絵柄２ａと文字２ｂとは、この指標２の指標線２ｃを介して対向位置に並列している。
【００４３】
従って、作業者がこの指標表示部３の各指標２を視認した際に、この各指標２の絵柄２ａや文字２ｂを見て、この各指標２が何の植物ａの最適な植え付け間隔Ｌ’で並設されているものかを直ちに、しかも正確に理解でき、非常に見易いだけでなく、作業者がこの指標２を見て前記指標対象植物ａ’と別種の植物ａを植えてしまう間違いも防止できる。更に、この指標２の指標線２ｃによって、この指標２が指示する適切な植え付け位置を曖昧にではなく的確に指示できるから、作業者が、この指標２が指示する適切な植え付け位置に的確に植え付けを行える。
【００４４】
尚、本実施例においては、図２に図示したように、植物ａ（のつる）を支える支柱６を収容本体１の土に差し込んで立設してこの植物ａの栽培を行っている。
【００４５】
本実施例の収容本体１に植物ａを植え付ける際、前記指標表示部３の指標２が指示する適切な植え付け位置に植物ａの苗や株を植え付けた後にこの近接位置に夫々支柱６を立設しても良いし、前記指標表示部３の指標２が指示する適切な植え付け位置に前記支柱６を立設した後にこの近接位置に夫々植物ａを植え付けても良いし、どのような植え付け手順で植物ａを植え付けても良い。
【００４６】
また、本実施例においては、前記収容本体１の長手方向に目盛り４ａを並設して、この収容本体１の長手方向距離を測長し得るスケール表示部４を、この収容本体１の前記指標表示部３に並設状態に設けている。
【００４７】
このスケール表示部４は、具体的には、図１に図示したように、収容本体１の長手方向にして、この収容本体１の上部開口縁に形成した鍔状のフランジ部５の上面に目盛り４ａを並設して構成したものである。
【００４８】
従って、作業者は、この収容本体１とは別パーツである物差しや定規を使用せずとも、このスケール表示部４の目盛り４ａを見ながら前記植物ａを並設状態に順次植え付ければ、作業者の所望の並設間隔Ｌでこの植物ａを並設状態に植えることができる。
【００４９】
また、この目盛り４ａは１ｃｍ間隔で並設するセンチ目盛りである。
【００５０】
尚、本実施例の指標表示部３と、スケール表示部４は夫々、シール状に形成して収容本体１の表面に貼設する構成としても良いし、指標表示部３の各指標２やスケール表示部４の各目盛り４ａをこの収容本体１の表面に印刷して設ける構成としても良いが、本実施例においてはこの指標表示部３とスケール表示部４とは、収容本体１の樹脂成形時に一体成形によってこの収容本体１の表面に凹凸状に設けた構成である。
【００５１】
従って、生産性に秀れ量産化も容易なためコスト性に秀れる。
【００５２】
よって、本実施例は、指標対象植物ａ’と同種の植物ａを収容本体１に植え付ける場合には、この植物ａ（指標対象植物ａ’）の最適な植え付け間隔Ｌ’を一々調べたり、この最適な植え付け間隔Ｌ’を、収容本体１とは別パーツの物差しや定規などの道具を利用して一々測長しながら順次最適な位置に植え付け作業を行ったりする必要が無く、誰でも作業能率良く極めて簡単に最適な植え付け間隔Ｌ’で良好に植え付けでき、前記指標対象植物ａ’と別種の植物ａを収容本体１に植え付ける場合にも、収容本体１に設けたスケール表示部４の目盛り４ａを見ながら作業者の所望の並設間隔Ｌに植え付けを行えて、例えば一々収容本体１とは別パーツである物差しや定規を収容本体１に当てがって測長する作業が不要で従来品に比して作業能率良く植え付けが行えるなど、極めて高い実用上の機能を有し、しかも簡易構成にして生産性に秀れ、あくまで従来品と略同様の生産コストで安価に提供することも可能であるなど、極めて実用性に秀れた画期的で商品価値の高い栽培用収容体である。
【００５３】
尚、図４〜図９は、これまでに説明した本実施例の収容本体１の指標表示部３の別例を示している。
【００５４】
具体的に説明すると、図４に示した別例は、収容本体１に設けた複数種類の指標表示部３の各指標２が絵柄２ａ，文字２ｂ及び指標線２ｃを横方向ではなく縦方向に縦列してなる構成とした場合を示し、図５に示した別例は、この複数種類の指標表示部３の各指標２が絵柄２ａと文字２ｂとを縦方向に縦列して成る構成とした場合を示し、図６に図示した別例は、この複数種類の指標表示部３の各指標２が絵柄２ａと指標線２ｃとを縦方向に縦列して成る構成とした場合を示し、図７に図示した別例は、この複数種類の指標表示部３の各指標２が文字２ｂと指標線２ｃとを縦方向に縦列して成る構成とした場合を示し、図８に図示した別例は、この複数種類の指標表示部３の各指標２が絵柄２ａのみによって成る構成とした場合を示し、図９に図示した別例は、この複数種類の指標表示部３の各指標２が文字２ｂのみによって成る構成とした場合を示している。
【００５５】
尚、本発明は、本実施例に限られるものではなく、各構成要件の具体的構成は適宜設計し得るものである。
【図面の簡単な説明】
【００５６】
【図１】本実施例に係る栽培用収容体を示す説明斜視図である。
【図２】本実施例に係る栽培用収容体の使用状態図である。
【図３】本実施例に係る栽培用収容体の指標表示部３の説明拡大図である。
【図４】本実施例に係る栽培用収容体の指標表示部３の別例を示す説明図である。
【図５】本実施例に係る栽培用収容体の指標表示部３の別例を示す説明図である。
【図６】本実施例に係る栽培用収容体の指標表示部３の別例を示す説明図である。
【図７】本実施例に係る栽培用収容体の指標表示部３の別例を示す説明図である。
【図８】本実施例に係る栽培用収容体の指標表示部３の別例を示す説明図である。
【図９】本実施例に係る栽培用収容体の指標表示部３の別例を示す説明図である。
【符号の説明】
【００５７】
１  収容本体
２  指標
２ａ  絵柄
２ｂ  文字
２ｃ  指標線
３  指標表示部
４  スケール表示部
４ａ  目盛り
ａ  植物
ａ’  指標対象植物
Ｌ  並設間隔
Ｌ’  植え付け間隔
【図１】
0004521570.tif 000002
【図２】
0004521570.tif 000003
【図３】
0004521570.tif 000004
【図４】
0004521570.tif 000005
【図５】
0004521570.tif 000006
【図６】
0004521570.tif 000007
【図７】
0004521570.tif 000008
【図８】
0004521570.tif 000009
【図９】
0004521570.tif 000010